(57)【要約】【課題】厨房設備や洗面化粧台の前面の床面の平面形状が画一的であれば規格化された暖房床（パネル）を配置することができるが、実際はこのようなことは難しく、配置すれば段差が生じることになる。台所（厨房）での調理作業中や洗面室では足元に顧慮せずに動き回ることが要請されるので作業効率を損なうこと甚だしいことになる。【解決手段】台所や洗面室のキャビネット１１の下に下地ユニット３を、このキャビネット１１の前面に床暖房パネル２を置き、下地ユニット３には一対の温水チューブ４、４を埋設しキャビネット１１内の温水機器６に繋げ、床暖房パネル２は下地ユニット３の温水チューブ４、４に繋げる温水チューブ５を蛇行配設させるものとした。【選択図】        図１
2004305342.tif 000002
【特許請求の範囲】
【請求項１】
台所や洗面室のキャビネットの下に下地ユニットを、このキャビネットの前面に床暖房パネルを置き、下地ユニットには一対の温水チューブを埋設しキャビネット内の温水機器に繋げ、床暖房パネルは下地ユニットの温水チューブに繋げる温水チューブを蛇行配設させるものとしたことを特徴とする床下暖房付キャビネット。
【請求項２】
請求項１又は請求項２記載の厨房設備において、下地ユニットと床暖房パネルの肉厚を同じくしたことを特徴とするもの。
【請求項３】
請求項１、請求項２又は請求項３記載の床下暖房付キャビネットにおいて、蛇行させる温水チューブを埋設する裏板及びこれに被せる表面材とから構成したことを特徴とするもの。
【発明の詳細な説明】
【０００１】
【発明の属する技術分野】
本発明は、床下暖房付キャビネットに関するもので、台所の厨房家具、洗面室の洗面化粧台のキャビネット前面に床下暖房装置を配置するようにしたものである。
【０００２】
【従来の技術】
厨房家具の前面に床暖房装置を配置する提案が次のようになされている。
特許文献１は、住宅設備機器載置に出し入れ自在に冷暖房踏板を収納したものである。
特許文献２は、温水コイルを組み込んだパネルを流し台前面の床に埋め込み、ガスレンジを加熱装置としてその周囲に配置されたパネルを接続するようにしたものである。
特許文献３は、床暖房用シートマットで温水管を蛇行させ、別途温水源を備えたものである。
特許文献４は、同一の熱源により給湯と床暖房をするようにしたものである。
【０００３】
【特許文献１】
実開昭５２−１５５６３８号公報  （第１図）
【特許文献２】
特開平７−２５３２１９号公報  （第１頁）
【特許文献３】
特開平１１−１０１４５２号公報  （第１頁）
【特許文献４】
特開２００２−１８８８２０号公報  （第１頁）
【０００４】
しかし、特許文献１のように、出し入れ自在に冷暖房踏板を設けるようにすると、出し入れ自在が面倒であり、踏板と台所の床面に段差ができるので、つまずく恐れがあり、特許文献２では、ガスレンジを使わなければ作動しないので、予め暖房することはできない欠点があった。
特許文献３では、温水源の設置箇所に苦慮することが想定され、特許文献４では台所浴室への給湯と、暖房床への循環温水の供給を同一熱源より行うのであるが、給湯は良いとして循環温水の供給は配管系統が異なるので配管系統が複雑化することが想定される。
【０００５】
【発明が解決しようとする課題】
いずれにしても、台所の広さや、床面に配置する厨房設備のベースキャビネットの配置も壁面を含んだＩ型、Ｌ型、門型、部屋の中央として対面型に配置するもの、キャビネットの一部を部屋の中央に配置するアイランド型など、キッチンルームの広狭、生活習慣、好みに合わせたものが提供されている。同様なことは洗面室の洗面化粧台のベースキャネットについてもいえる。
このことは、厨房設備や洗面化粧台の前面の床面の平面形状が画一的であれば規格化された暖房床（パネル）を配置することができるが、実際はこのようなことは難しく、配置すれば段差が生じることになる。
台所（厨房）での調理作業中や洗面室では足元に顧慮せずに動き回ることが要請されるが、段差を意識せざるを得ないのは作業効率を損なうこと甚だしいことになる。
【０００６】
これを根本的に解決するには、建築施工に際し台所や洗面室の床下暖房をすれば良いのであるが、台所などの改築に際して暖房床を設置するとのニーズにも応えることが要請されることになる。
【０００７】
【課題を解決するための手段】
この発明は、台所や洗面室の広さ、平面形状に拘束されず適切な面積について床下暖房を施こせるような床下暖房付キャビネットを提供すべく開発したもので、新築の家屋、マンションに設置する場合のみでなく、従来の厨房設備等の老朽化に伴う交換にも適切なものといえる。
そして、請求項１の発明の要旨とするのは、台所や洗面室のキャビネットの下に下地ユニットを、このキャビネットの前面に床暖房パネルを置き、下地ユニットには一対の温水チューブを埋設しキャビネット内の温水機器に繋げ、床暖房パネルは下地ユニットの温水チューブに繋げる温水チューブを蛇行配管させるものとしたことを特徴とするものである。
【０００８】
このような構成を採ることで、比較的使い勝手の悪いベースキャビネット内に温水機器を設け、その下の下地ユニットに繋げ、別途台所や洗面室の床面の広さ、形状に合致させ得る温水床暖房パネルを配設し、床暖房パネルの温水チューブと下地ユニット内の温水チューブを接続するので、台所の床暖房スペースを自在に決定することができることになる。
【０００９】
請求項２の発明は、下地ユニットと床暖房パネルの肉厚を同じくしたもので、床暖房パネルと下地ユニットが違和感なく配置されることになる。
請求項３の発明は、床暖房パネルを、蛇行させる温水チューブを埋設する裏板及びこれに被せる表面材とから構成したもので、台所は床面が調理作業で汚損・破損しがちであるので、必要に応じて表面材のみを交換することで床暖房パネル全体を交換する必要が生じないことになる。
【００１０】
【発明の実施の形態】
以下、この発明の実施の形態を示した図１乃至図５に基づき、その構成についてさらに詳細に説明する。
図１乃至図５は、この発明に係る床下暖房付キャビネットＨの施工順序を示すもので、台所の部屋の隅に配置する厨房家具としての流し台１とその前面に矩形の床暖房パネル２を設置するものである。
【００１１】
流し台１のキャビネット１１の下面には下地ユニット３が配置してある。下地ユニット３は台所を含む床面と面一となるように床スラブ上に置かれ、一対の凹溝３１、３１を設けるようにしてあり、この凹溝３１、３１に温水チューブ４、４を嵌め込むことで埋設し、端部は立ち上がるようにしてある。
【００１２】
流し台１の前面に配置する床暖房パネル２は、全体としての厚みを下地ユニット３と同一とした上下二層からなすもので、床スラブに置く、裏板２１とこれに被せる表面材２２とからなる。
裏板２１には温水チューブ５を蛇行させる凹溝２１ａを巡らし（図１）、温水チューブ５を埋設するようにする。表面材２２は耐熱性を備えたものとする。
【００１３】
下地ユニット３の温水チューブ４、４と裏板２１の温水チューブ５は図示しないワンタッチ継手などで接続するようにする。
下地ユニット３上の流し台１のキャビネット１１の底面には温水チューブ４、４の挿通する穴を穿つようにしてある。
そして、温水機器６をキャビネット１１内に上部開口或いは前面より内部に納めて温水チューブ４、４に接続するようにする。詳細な図示は省略するが、温水機器６には温水を循環させる手段としてポンプを備えるようにしてある。
温水チューブ４、５に供給する熱媒体としての水は、別途流し台や洗面台への配管から直接或いは途中から分岐させ供給するようにする。
【００１４】
図示の例では、厨房設備として単体としての流し台１としたが、コンロを含む複合厨房家具であってもよい。熱媒体として水を採用する場合には流し台を含む厨房設備に温水機器６を設置するのが好適であるが、台所に配置する厨房設備のキャビネットであれば流し台に限定されない。
【００１５】
床暖房パネル２の形態を矩形としてあるが、これは代表的なものとして提示したので、暖房すべき床の広さ、形状に合わせて自在に変更することができる。
図示しないが、洗面室の洗面化粧台のキャビネットを床下暖房付キャビネットとすることもできる。
【００１６】
【発明の効果】
以上説明したように請求項１に記載の発明では、台所や洗面室のキャビネットの下に下地ユニットを、このキャビネットの前面に床暖房パネルを置き、下地ユニットには一対の温水チューブを埋設しキャビネット内の温水機器に繋げ、床暖房パネルは下地ユニットの温水チューブに繋げる温水チューブを蛇行配設させるものとしたので、キャビネット内の温水機器と温水チューブを蛇行配管させる床暖房パネルを分割配置することで、台所や洗面室の床暖房スペースを自在に設定できることになる。
【００１７】
請求項２の発明は、下地ユニットと床暖房パネルの肉厚を同じくしたもので、体裁よく配置されることになる。
請求項３の発明は、床暖房パネルを、蛇行させる温水チューブを埋設する裏板及びこれに被せる表面材とから構成したもので、調理作業で汚損しがちな台所の床面で表面材のみを交換することで床暖房パネル全体を交換する必要がなくなるのである。
【図面の簡単な説明】
【図１】下地ユニットと床暖房パネルの裏板を示す斜視図である。
【図２】配管及び床暖房パネルに表面板を被せる状態を示す斜視図である。
【図３】流し台のキャビネットを設置する状態を示す斜視図である。
【図４】温水機器を設置する状態を示す斜視図である。
【図５】厨房設備として流し台の組み立て状態を示す斜視図である。
【符号の説明】
１  流し台
１１  キャビネット
２  床暖房パネル
２１  裏板
２１ａ  凹溝
２２  表面材
３  下地ユニット
３１  凹溝
４  温水チューブ
５  温水チューブ
６  温水機器
【図１】
2004305342.tif 000003
【図２】
2004305342.tif 000004
【図３】
2004305342.tif 000005
【図４】
2004305342.tif 000006
【図５】
2004305342.tif 000007